【手続補正書】
【提出日】平成16年10月7日(2004.10.7)
【手続補正１】
【補正対象書類名】明細書
【補正対象項目名】発明の名称
【補正方法】変更
【補正の内容】
【発明の名称】画像処理装置、画像入力装置およびそれらの方法
【手続補正２】
【補正対象書類名】明細書
【補正対象項目名】特許請求の範囲
【補正方法】変更
【補正の内容】
【特許請求の範囲】
【請求項１】
画像入力デバイスにより撮影された、そのデバイスの色空間に依存する画像データを前記画像入力デバイスから入力する入力手段と、
前記複数の撮影条件に対応する色空間変換特性に基いて、入力される画像データに色空間変換を施す変換手段とを備え、
前記変換手段は、入力される画像データに付加された前記画像入力デバイスの撮影状態を示すパラメータに基づき前記色空間変換を制御することを特徴とする画像処理装置。
【請求項２】
前記入力手段はシリアルバスを介して画像データを入力することを特徴とする請求項1に記載された画像処理装置。
【請求項３】
前記シリアルバスはIEEE1394規格に沿うバスであることを特徴とする請求項2に記載された画像処理装置。
【請求項４】
前記撮影状態を示すパラメータは前記IEEE1394規格のアシンクロナス転送により入力されることを特徴とする請求項3に記載された画像処理装置。
【請求項５】
前記画像データは前記IEEE1394規格のアイソクロナス転送により入力されることを特徴とする請求項3または請求項4に記載された画像処理装置。
【請求項６】
前記変換手段は、前記複数の撮影条件に対応する色空間変換特性により入力された画像データを変換して得た複数の変換画像データを、前記パラメータに基づき結合することで、色空間変換された画像データを得ることを特徴とする請求項1から請求項5の何れかに記載された画像処理装置。
【請求項７】
前記複数の変換画像データは、前記パラメータに基づき線形結合されることを特徴とする請求項6に記載された画像処理装置。
【請求項８】
前記入力手段は、前記画像入力デバイスから送られてくるデータを復調および復号することにより画像データを得ることを特徴とする請求項1から請求項7の何れかに記載された画像処理装置。
【請求項９】
さらに、入力された画像データに付加された前記パラメータを分離する分離手段を有することを特徴とする請求項1から請求項8の何れかに記載された画像処理装置。
【請求項１０】
画像を撮影する撮影手段と、
画像の撮影状態を示すパラメータをその画像の画像データに付加する付加手段と、
前記パラメータが付加された画像データを色空間変換を実行する画像処理装置に供給する供給手段とを有することを特徴とする画像入力装置。
【請求項１１】
前記供給手段は、前記画像データを符号化および変調して前記画像処理装置に供給することを特徴とする請求項10に記載された画像入力装置。
【請求項１２】
前記画像の撮影状態は被写体の環境光に応じて自動的に、または、マニュアルで調整されることを特徴とする請求項10または請求項11に記載された画像入力装置。
【請求項１３】
前記パラメータは、前記画像データの伝送フォーマットにおけるサブコードエリアに付加されることを特徴とする請求項10から請求項12の何れかに記載された画像入力装置。
【請求項１４】
前記画像データは符号化圧縮され、前記パラメータは符号化圧縮されないことを特徴とする請求項10から請求項13の何れかに記載された画像入力装置。
【請求項１５】
前記パラメータは、画像を撮影する際に自動的に、または、マニュアルで調整された撮影状態の設定状態を表す情報であることを特徴とする請求項10から請求項14の何れかに記載された画像入力装置。
【請求項１６】
画像入力デバイスにより撮影された、そのデバイスの色空間に依存する画像データを前記画像入力デバイスから入力し、
入力される画像データに付加された前記画像入力デバイスの撮影状態を示すパラメータ、および、予め格納手段に格納された複数の撮影条件に対応する色空間変換特性に基いて、前記画像データに色空間変換を施すことを特徴とする画像処理方法。
【請求項１７】
前記画像データは、シリアルバスを介して入力されることを特徴とする請求項16に記載された画像処理方法。
【請求項１８】
前記シリアルバスはIEEE1394規格に沿うバスであることを特徴とする請求項17に記載された画像処理方法。
【請求項１９】
前記撮影状態を示すパラメータは前記IEEE1394規格のアシンクロナス転送により入力されることを特徴とする請求項18に記載された画像処理方法。
【請求項２０】
前記画像データは前記IEEE1394規格のアイソクロナス転送により入力されることを特徴とする請求項18または請求項19に記載された画像処理方法。
【請求項２１】
前記色空間変換は、前記複数の撮影条件に対応する色空間変換特性により入力された画像データを変換して得た複数の変換画像データを、前記パラメータに基づき結合することを特徴とする請求項16に記載された画像処理方法。
【請求項２２】
前記複数の変換画像データは、前記パラメータに基づき線形結合されることを特徴とする請求項16から請求項21の何れかに記載された画像処理方法。
【請求項２３】
画像処理装置を制御して、請求項16から請求項22の何れかに記載された画像処理を実現するプログラムが記録されたことを特徴とする記録媒体。
【請求項２４】
画像を撮影し、
画像の撮影状態を示すパラメータをその画像の画像データに付加し、
前記パラメータが付加された画像データを色空間変換を実行する画像処理装置に供給することを特徴とする画像処理方法。
【請求項２５】
画像入力装置を制御して、請求項24に記載された画像処理を実現するプログラムが記録されたことを特徴とする記録媒体。
【手続補正３】
【補正対象書類名】明細書
【補正対象項目名】０００１
【補正方法】変更
【補正の内容】
【０００１】
【発明の属する技術分野】
本発明は画像処理装置、画像入力装置およびそれらの方法に関し、例えば、デバイスに依存する色空間の画像データに色空間変換を施す画像処理に関する。
【手続補正４】
【補正対象書類名】明細書
【補正対象項目名】００１０
【補正方法】変更
【補正の内容】
【００１０】
本発明は、画像データの撮影状態に応じた適切な色空間変換を行うことを目的とする。
【手続補正５】
【補正対象書類名】明細書
【補正対象項目名】００１２
【補正方法】変更
【補正の内容】
【００１２】
本発明の画像処理装置は、画像入力デバイスにより撮影された、そのデバイスの色空間に依存する画像データを前記画像入力デバイスから入力する入力手段と、前記複数の撮影条件に対応する色空間変換特性に基いて、入力される画像データに色空間変換を施す変換手段とを備え、前記変換手段は、入力される画像データに付加された前記画像入力デバイスの撮影状態を示すパラメータに基づき前記色空間変換を制御することを特徴とする。
【手続補正６】
【補正対象書類名】明細書
【補正対象項目名】００１３
【補正方法】変更
【補正の内容】
【００１３】
本発明にかかる画像入力装置は、画像を撮影する撮影手段と、画像の撮影状態を示すパラメータをその画像の画像データに付加する付加手段と、前記パラメータが付加された画像データを色空間変換を実行する画像処理装置に供給する供給手段とを有することを特徴とする。
【手続補正７】
【補正対象書類名】明細書
【補正対象項目名】００１４
【補正方法】変更
【補正の内容】
【００１４】
本発明にかかる画像処理方法は、画像入力デバイスにより撮影された、そのデバイスの色空間に依存する画像データを前記画像入力デバイスから入力し、入力される画像データに付加された前記画像入力デバイスの撮影状態を示すパラメータ、および、予め格納手段に格納された複数の撮影条件に対応する色空間変換特性に基いて、前記画像データに色空間変換を施すことを特徴とする。
【手続補正８】
【補正対象書類名】明細書
【補正対象項目名】００１５
【補正方法】変更
【補正の内容】
【００１５】
また、画像を撮影し、画像の撮影状態を示すパラメータをその画像の画像データに付加し、前記パラメータが付加された画像データを色空間変換を実行する画像処理装置に供給することを特徴とする。
【手続補正９】
【補正対象書類名】明細書
【補正対象項目名】０１５９
【補正方法】変更
【補正の内容】
【０１５９】
【発明の効果】
以上説明したように、本発明によれば、画像データの撮影状態に応じた適切な色空間変換を行うことができる。